(57)【要約】【課題】作業者の作業動線を短くし、作業者の作業労力を軽減し、プランニングの自由度を高めることができるシステムキッチンを得る。【解決手段】床面１６にはキッチン側軌道１８が敷設されており、この軌道１８に沿ってラウンド形状のキッチン本体１２が回動可能とされている。また、天井面２０には戸棚側軌道２２が敷設されており、この軌道２２に沿ってラウンド形状の吊り戸棚１４が回動可能とされている。従って、従来のＩ型等のシステムキッチンに比べて作業動線が短くなり、作業労力も軽減され、プランニングの自由度も高くなる。【選択図】図１
2007268130.tif 000002
【特許請求の範囲】
【請求項１】
キッチン設置面に設けられた円形状のキッチン側軌道と、
このキッチン側軌道に沿って回動可能に支持されたラウンド形状のキッチン本体と、
を有することを特徴とするシステムキッチン。
【請求項２】
前記キッチン設置面と対向する戸棚設置面に設けられた円形状の戸棚側軌道と、
この戸棚側軌道に沿って回動可能に支持されたラウンド形状の吊り戸棚と、
を有することを特徴とする請求項１記載のシステムキッチン。
【請求項３】
前記キッチン側軌道の中心と前記戸棚側軌道の中心とは同軸上に配置されている、
ことを特徴とする請求項２記載のシステムキッチン。
【請求項４】
前記キッチン本体を室内の略中央部に配置し、当該キッチン本体を境にして前記室内が片側と反対側の二室に分かれるようにした、
ことを特徴とする請求項１乃至請求項３のいずれか一項に記載のシステムキッチン。
【発明の詳細な説明】
【技術分野】
【０００１】
本発明は、キッチン本体を備えたシステムキッチンに関する。
【背景技術】
【０００２】
従来のキッチンはＩ型やＬ型等の直線で構成されているため、作業動線が直線的で長くなるという欠点があった。
【０００３】
また、一般には、キッチンは据付により固定された状態で使用されるため、キッチン本体と吊り戸棚との位置関係も変わらない。従って、キッチン本体と吊り戸棚の位置関係を変えようとすると、収納物そのものを入れ替える必要があり、非常に作業労力がかかるという欠点があった。
【０００４】
さらに、キッチンは一度据付けたら固定された状態で使用されるため、間取りの変更に応じてプランを変えることができない。従って、間取りとの調和をとり難いという欠点があった。
【特許文献１】特開２０００−２８７７６９号公報
【発明の開示】
【発明が解決しようとする課題】
【０００５】
本発明は上記事実を考慮し、作業者の作業動線を短くすることができるシステムキッチンを得ることを第１の目的とし、作業者の作業労力を軽減することができるシステムキッチンを得ることを第２の目的とし、プランニングの自由度を高めることができるシステムキッチンを得ることを第３の目的とする。
【課題を解決するための手段】
【０００６】
請求項１の発明に係るシステムキッチンは、キッチン設置面に設けられた円形状のキッチン側軌道と、このキッチン側軌道に沿って回動可能に支持されたラウンド形状のキッチン本体と、を有することを特徴とする。
【０００７】
請求項２の発明は、請求項１記載のシステムキッチンにおいて、前記キッチン設置面と対向する戸棚設置面に設けられた円形状の戸棚側軌道と、この戸棚側軌道に沿って回動可能に支持されたラウンド形状の吊り戸棚と、を有することを特徴とする。
【０００８】
請求項３の発明は、請求項２記載のシステムキッチンにおいて、前記キッチン側軌道の中心と前記戸棚側軌道の中心とは同軸上に配置されている、ことを特徴とする。
【０００９】
請求項４の発明は、請求項１乃至請求項３のいずれか一項に記載のシステムキッチンにおいて、前記キッチン本体を室内の略中央部に配置し、当該キッチン本体を境にして前記室内が片側と反対側の二室に分かれるようにした、ことを特徴とする。
【００１０】
請求項１記載の本発明によれば、キッチン設置面には円形状のキッチン側軌道が設けられており、当該キッチン側軌道に沿って回動可能に支持されたキッチン本体もラウンド形状に形成されている。このため、作業者はキッチン側軌道の中心回りに円弧状に移動するだけで、キッチン本体を使った作業を行うことができる。
【００１１】
請求項２記載の本発明によれば、キッチン設置面と対向する戸棚設置面にも、円形状の戸棚側軌道が設けられており、ラウンド形状の吊り戸棚はこの戸棚側軌道に沿って回動可能とされている。このため、作業者は、移動しなくても、吊り戸棚を所定角度回動させることにより、自分の正面頭上に吊り戸棚の使おうとする部分を位置させることができる。つまり、作業者が立っている位置と吊り戸棚の使おうとする棚の位置とが周方向にずれていたとしても、作業者自身は移動する必要がない。
【００１２】
請求項３記載の本発明によれば、キッチン側軌道の中心と戸棚側軌道の中心とが同軸上に配置されているので、キッチン本体の角移動量と吊り戸棚の角移動量とが同じになる。このため、作業者のキッチン本体と吊り戸棚に対する移動量の感覚にずれが生じない。
【００１３】
請求項４記載の本発明によれば、キッチン本体を室内の略中央部に配置し、当該キッチン本体を境にして室内が片側と反対側の二室に分かれるようにしたので、つまりキッチン本体を一種の仕切りとして利用したので、片側をリビングとして使用し、反対側をダイニングとして使用するといった用途の使い分けをすることができる。従って、室内の間取り等に変更が生じても、その変更プランに追従させることができる。
【発明の効果】
【００１４】
請求項１記載の本発明に係るシステムキッチンは、作業者の作業動線を短くすることができるという優れた効果を有する。
【００１５】
請求項２記載の本発明に係るシステムキッチンは、作業者の作業労力を軽減することができるという優れた効果を有する。
【００１６】
請求項３記載の本発明に係るシステムキッチンは、作業者が作業をするにあたって違和感が生じないという優れた効果を有する。
【００１７】
請求項４記載の本発明に係るシステムキッチンは、プランニングの自由度を高めることができるという優れた効果を有する。
【発明を実施するための最良の形態】
【００１８】
以下、図１〜図７を用いて、本発明に係るシステムキッチンの一実施形態について説明する。
【００１９】
図１には、本実施形態に係るシステムキッチン１０の全体斜視図が示されている。また、図２には、当該システムキッチン１０の平面図が示されている。さらに、図３には、当該システムキッチン１０の正面図が示されている。
【００２０】
これらの図に示されるように、本実施形態に係るシステムキッチン１０は、各々ラウンド形状（半円形状、略ドーナツ形状）に構成された上下一対のキッチン本体１２と吊り戸棚１４とを備えている。
【００２１】
キッチン本体１２は、キッチン設置面としての床面１６に敷設された円形状のキッチン側軌道１８に沿って回動可能に支持されている。同様に、吊り戸棚１４は、戸棚設置面としての天井面２０（図３参照）に敷設された円形状の戸棚側軌道２２に沿って回動可能に支持されている。従って、キッチン本体１２と吊り戸棚１４とは、別個独立に同一方向又は反対方向へ回動可能とされている。なお、キッチン側軌道１８の中心Ｏ１及び戸棚側軌道２２の中心Ｏ２は同軸（同一鉛直線）上に配置されており、又キッチン側軌道１８及び戸棚側軌道２２の半径は同一に設定されている。また、キッチン本体１２及び吊り戸棚１４は手動で回動させる構成を採ってもよいし、リモコン等を用いてモータ等の駆動手段を使って電動で回動させる構成を採ってもよい。
【００２２】
次に、キッチン本体１２及び吊り戸棚１４の支持構造について説明する。図１に示されるように、天井面２０の上面側には、リップ付き溝形鋼等によって構成された円形のガイドレール２４が敷設されている。このガイドレール２４内には、吊り戸棚１４の頂面に立設されたステー２６がスリット２８を通って挿入状態で配置されている。ステー２６の先端部の両側面には一対のベアリング等で構成されたガイドローラ３０が軸支されており、かかるガイドローラ３０がガイドレール２４のリップ２４Ａ上に接地して転動することにより、吊り戸棚１４がガイドレール２４に沿って回動可能に支持されている。なお、床面１６側に敷設されたキッチン側軌道１８も同様に構成されている。床面１６側のガイドレールは床面１６の下面側に敷設されているので、床面１６上にはガイドレールのスリットしか見えないようになっている。
【００２３】
図４には、上述したシステムキッチン１０を備えた居室３２の平面配置図の一例が示されている。この図に示されるように、この住宅プランでは、居室３２の中央部に上記システムキッチン１０を配置することで、システムキッチン１０に一種の間仕切りとしての役割を持たせている。これにより、居室３２は、システムキッチン１０を境にして左側がダイニングルーム３４とされ、右側がリビングルーム３６とされている。
【００２４】
（作用・効果）
次に、本実施形態の作用並びに効果について説明する。
【００２５】
（１）作業動線について
図６（Ａ）に示される従来型（Ｉ型）のシステムキッチン４０の場合、作業者はシステムキッチン４０に沿って直線状に移動することになる。従って、作業動線はＰ１となり、比較的長いものとなる。一方、図６（Ｂ）に示される別の従来型（Ｌ型）のシステムキッチン４２の場合、作業者はやはりシステムキッチン４２に沿ってＬ字状に移動することになる。従って、作業動線はＰ２となり、同様に比較的長いものとなる。
【００２６】
これに対し、本実施形態に係るシステムキッチン１０では、床面１６に円形状のキッチン側軌道１８が設けられており、当該キッチン側軌道１８に沿って回動可能に支持されたキッチン本体１２もラウンド形状に形成されている。このため、図２に示されるように、作業者はキッチン側軌道１８の中心Ｏ１回りに円弧状に移動するだけで、キッチン本体１２を使った作業を行うことができる。従って、作業動線はＱとなり、従来よりも非常に短くなる。
【００２７】
（２）作業労力について
図７に示されるように、従来型（Ｉ型）のシステムキッチン４０を例にして説明すると、仮にＡ位置に作業者が居る場合、吊り戸棚４４のａ位置の棚の中にあるものを取り出すことはできても、ｂ位置にある棚の中のものを取り出すことはできないので、作業者自身が一旦Ａ位置からＢ位置に移動してｂ位置の棚の中のものを取り出してからＡ位置に戻るという手順にならざるを得ない。この動作を何度も繰り返すことになることから、作業者の作業労力は大変なものとなる。また、ｂ位置の棚の中にあるものの出し入れの頻度がａ位置の棚の中にあるものの出し入れの頻度よりもかなり多い場合には、全体としての作業労力が軽減されるようにａ位置の棚の中のものとｂ位置の棚の中のものとを入れ替える作業が必要になるが、かかる作業も非常に重労働である。
【００２８】
これに対し、本実施形態に係るシステムキッチン１０では、図３に示されるように、天井面２０にも円形状の戸棚側軌道２２が敷設され、ラウンド形状の吊り戸棚１４を回動可能に支持させたので、仮にＡ位置に作業者が居る場合に、吊り戸棚１４のｂ位置の棚の中にあるものを取り出す際には、可動式の吊り戸棚１４を矢印Ｃ方向へ必要量回動させれば、頭上にｂ位置の棚をもってくることができる。従って、作業者が立っている位置と吊り戸棚１４の使おうとする棚の位置とが周方向にずれていたとしても、作業者自身は移動する必要がなく、収納物の収納位置を入れ替えるといった煩雑な作業をする必要もない。その結果、本実施形態によれば、作業者の作業労力を非常に軽減することができる。
【００２９】
（３）作業性について
また、本実施形態に係るシステムキッチン１０では、キッチン本体１２のキッチン側軌道１８の中心Ｏ１と吊り戸棚１４の戸棚側軌道２２の中心Ｏ２とが同軸上に配置されているので、キッチン本体１２の角移動量と吊り戸棚１４の角移動量とが同じになる。このため、作業者のキッチン本体１２と吊り戸棚１４に対する移動量の感覚にずれが生じない。従って、作業者がキッチン本体１２と吊り戸棚１４の両方を使って作業をするにあたって違和感が生じなく、良好な作業性が得られる。
【００３０】
（４）プランニングの自由度について
図８に示されるように、従来型（Ｉ型）のシステムキッチン４０の場合、システムキッチン４０を居室４６の一番端に設置して、その隣をダイニングルーム４８、更にその隣をリビングルーム５０にするといった住宅プランになり勝ちであった。
【００３１】
これに対し、本実施形態に係るシステムキッチン１０では、図４に示されるように、居室３２の中央部にシステムキッチン１０を配置して、当該システムキッチン１０に一種の間仕切りとしての役割を持たせることにより、居室３２内がシステムキッチン１０を境にして左側がダイニングルーム３４とされ、右側がリビングルーム３６とされる。また、キッチン本体１２をキッチン側軌道１８に沿って反対側に回動させれば、居室３２内の右側をダイニングルーム３４として使い、左側をリビングルーム３６として使うこともできる。別の使い方として、ラウンド形状のキッチン本体１２を図４の実線図示状態にして使ったときと、二点鎖線図示状態にして使ったときとでは、ダイニングルーム３４とキッチン本体１２との関係及びリビングルーム３６とキッチン本体１２との関係が、同じ居室３２という空間でありながら変化する。
【００３２】
このようにシステムキッチン１０を一種の間仕切りとして利用することにより、居室３２内の二分された空間の用途の使い分け（広い方をリビングルーム３６として使い、狭い方をダイニングルーム３４として使う等）をすることができる。また、同じ間仕切りとして使うにしても（即ち、リビングルーム３６とダイニングルーム３４との位置関係は変えないとしても）、キッチン本体１２の回動位置を変更するだけで、異なる空間の演出が可能となる。従って、本実施形態によれば、プランニングの自由度を高めることができ、住宅プランの変更にも柔軟に追従させることができる。
【００３３】
プランニングに関して更に言及すると、図５に示されるように、居室３２の中央部にシステムキッチン１０を設置した場合に、これと対を成すかたちでラウンド形状の収納棚５２を同様の支持構造で回動可能に設置し、リビングルーム３６からの収納棚５２へのアクセス（Ｄ方向からのアクセス）を可能としたり、ダイニングルーム３４からのキッチン本体１２又は吊り戸棚１４へのアクセス（Ｅ方向からのアクセス）を可能とすることで、収納棚５２をも含めたシステムキッチン１０とリビングルーム３６、ダイニングルーム３４との新しい関係が生まれる。なお、システムキッチン１０の中央にトップライト５４を設置すると、非常に明るい空間が演出される。このようにキッチン本体１２、吊り戸棚１４、収納棚５２に外側からの収納性を持たせることにより、内側に居る作業者の作業位置Ｐからの内側からの作業性を良好に維持しつつ、リビングルーム３６側からの物の出し入れ及びダイニングルーム３４からの物の出し入れが容易になるという双方向からのメリットを創出することができる。
【００３４】
〔実施形態の補足説明〕
上述した本実施形態では、キッチン本体１２と吊り戸棚１４とによってシステムキッチン１０を構成したが、請求項１記載の本発明には、キッチン本体１２のみを備え、吊り戸棚１４を備えていないシステムキッチンも含まれる。
【００３５】
また、本実施形態では、キッチン本体１２及び吊り戸棚１４をいずれも半円形状に構成したが、これに限らず、ラウンド形状であればよく、必ずしも半円形状である必要はない。
【００３６】
さらに、本実施形態では、床面１６にキッチン本体１２を設置し、天井面２０に吊り戸棚１４を設置する構成を採ったが、これに限らず、両者を含んだシステムキッチンそのものを一つのユニットとして製作し、居室に設置するようにしてもよい。
【図面の簡単な説明】
【００３７】
【図１】本実施形態に係るシステムキッチンの全体構成を示す斜視図である。
【図２】図１に示されるシステムキッチンの平面図である。
【図３】図１に示されるシステムキッチンの正面図である。
【図４】図１に示されるシステムキッチンを備えた居室の平面配置図である。
【図５】図４に示される住宅プランとは別のプランを示すシステムキッチンを備えた居室の平面配置図である。
【図６】従来型のシステムキッチンの平面図である。
【図７】従来型のシステムキッチンの正面図である。
【図８】従来型のシステムキッチンを備えた居室の平面配置図である。
【符号の説明】
【００３８】
１０      システムキッチン
１２      キッチン本体
１４      吊り戸棚
１６      床面（キッチン設置面）
１８      キッチン側軌道
２０      天井面（戸棚設置面）
２２      戸棚側軌道
３２      居室
３４      ダイニングルーム
３６      リビングルーム
【図１】
2007268130.tif 000003
【図２】
2007268130.tif 000004
【図３】
2007268130.tif 000005
【図４】
2007268130.tif 000006
【図５】
2007268130.tif 000007
【図６】
2007268130.tif 000008
【図７】
2007268130.tif 000009
【図８】
2007268130.tif 000010